(57)【要約】【課題】電源コードと貫通穴との隙間を埋めるために必要となっていたキャップ等の部品が不要な構成として安価にすること。【解決手段】外郭ケース１１は外郭ケース後側面部１１ａと外郭ケース底面部１１ｂとが組み合わされて構成され、電源コード１３は前記外郭ケース後側面部１１ａの端部と前記外郭ケース底面部１１ｂの端部とで形成された穴部を貫通してなること。【選択図】図１
2010238491.tif 000002
【特許請求の範囲】
【請求項１】
本体の外郭を構成する外郭ケースと、前記外郭ケース上部を覆う天板と、商用電源を供給する電源コードとを備え、前記外郭ケースは、外郭ケース後側面部と外郭ケース底面部とが組み合わされて構成され、前記電源コードは、前記外郭ケース後側面部の端部と前記外郭ケース底面部の端部とで形成された穴部を貫通してなることを特徴とする誘導加熱調理器。
【請求項２】
外郭ケース底面部は、外郭ケース後側面部に設けられた傾斜部に沿うような突出部を形成し、電源コードは、前記突出部の上端と外郭ケース後側面部の端部とで形成された穴部を貫通してなることを特徴とする請求項１に記載の誘導加熱調理器。
【請求項３】
外郭ケース底面部は、突出部を複数備えたことを特徴とする請求項１または２に記載の誘導加熱調理器。
【請求項４】
電源コードは、端部および前記電源コード上に別部材を有し、穴部は前記別部材の大きさ以下であることを特徴とする請求項１〜３のいずれか１項に記載の誘導加熱調理器。
【請求項５】
電源コードは、前記電源コード上に周回状の別部材を有し、前記別部材は、本体内部かつ、外郭ケース後面部と外郭ケース底面部で形成された穴部の近傍に配置されてなることを特徴とする請求項１〜４いずれか１項に記載の誘導加熱調理器。
【請求項６】
外郭ケースは、ノイズフィルタを備えたことを特徴とする請求項１〜５のいずれか１項に記載の誘導加熱調理器。
【発明の詳細な説明】
【技術分野】
【０００１】
本発明は、誘導加熱調理器に関するものである。
【背景技術】
【０００２】
従来、この種の誘導加熱調理器としては、例えば、特許文献１に記載されているようなものがあった。
【０００３】
図７は特許文献１に記載された従来の誘導加熱調理器の背面図である。誘導加熱調理器１を構成する外郭ケース２の背面に電源コード３の直径よりも大きい貫通穴４を設け、電源コードを機器内へ挿入した後、電源コード３と貫通穴４に生じた隙間をキャップ５で埋める構成となっている。
【特許文献１】特開２００４−１２７５７７号公報
【発明の開示】
【発明が解決しようとする課題】
【０００４】
しかしながら、前記従来の構成では、電源コードを外郭ケースの背面に通すためには、外郭ケースの背面に電源コードの直径よりも大きい穴を開けなければならない。さらに、電源コードにはノイズ除去用のフェライトが取り付けられている場合が多く、外郭ケース背面から機器内部に電源コードを通すためにはフェライトが通る大きさの穴が必要となり、穴の大きさは電源コードの直径よりもさらに大きくなってしまうという課題を有していた。
【０００５】
また、前記従来の構成では、ネズミやゴキブリ等の侵入に対して、電源コードと貫通穴に生じた隙間を埋めるため、前記従来の発明にあるようなキャップ等の部品が必要となり、コストが上がってしまうという課題も有していた。他方、別部材が無ければ、電源コードと貫通穴に生じた隙間からネズミやゴキブリ等の異物が侵入し、機器の故障の原因となってしまう。
【０００６】
本発明は、前記従来の課題を解決するもので、電源コードと貫通穴に生じる隙間を埋める別部材が不要となり、安価な誘導加熱調理器を提供することを目的とする。
【課題を解決するための手段】
【０００７】
前記従来の課題を解決するために、本発明の誘導加熱調理器は、本体の外郭を構成する外郭ケースと、前記外郭ケース上部を覆う天板と、商用電源を供給する電源コードとを備え、前記外郭ケースは、外郭ケース後側面部と外郭ケース底面部とが組み合わされて構成され、前記電源コードは前記外郭ケース後側面部の端部と前記外郭ケース底面部の端部とで形成された穴部を貫通してなることを特徴とする。
【０００８】
これによって、外郭ケース後側面部端部と、外郭ケース底面部の端部が電源コードを挟む構成となっているため、電源コードと貫通穴との隙間を埋めるために必要となっていた部品が不要な構成となる。
【発明の効果】
【０００９】
本発明の誘導加熱調理器は、電源コードと貫通穴との隙間を埋めるために必要となっていた部品が不要な構成となるので、安価にすることができる。
【発明を実施するための最良の形態】
【００１０】
第１の発明は、本体の外郭を構成する外郭ケースと、前記外郭ケース上部を覆う天板と、商用電源を供給する電源コードとを備え、前記外郭ケースは、外郭ケース後側面部と外郭ケース底面部とが組み合わされて構成され、前記電源コードは、前記外郭ケース後側面部の端部と前記外郭ケース底面部の端部とで形成された穴部を貫通してなることを特徴とし、電源コードと貫通穴との隙間を埋めるために必要となっていたキャップ等の部品が不要な構成とすることができる。
【００１１】
第２の発明は、特に、第１の発明の外郭ケース底面部を、外郭ケース後側面部に設けられた傾斜部に沿うような突出部を形成し、電源コードを、突出部の上端と外郭ケース後側面部とで形成された穴部を貫通してなるとすることにより、突出部の高さを調整することにより、キャップ等の部品が不要になることに加えて、電源コードの高さを高くすることで、外郭ケース底面とキッチンキャビネットが接近している場合においても、電源コードに無理な力が加わることが無く誘導加熱調理器を設置することができる。
【００１２】
第３の発明は、特に、第１または第２の発明の外郭ケース底面部を、突出部を複数備えたとすることにより、設計上、電源コードの場所を変える必要があった場合でも、外郭ケース後側面部の変更のみで電源コードの挿入位置を変更することができる。
【００１３】
第４の発明は、特に、第１〜３のいずれか１つの発明の電源コードを、端部および前記電源コード上に別部材を有し、穴部を、前記別部材の大きさ以下であるとすることにより、別部材の大小に関わらず、穴部を小さくすることができ、キャップ等の穴部を埋める部品が不要となる。
【００１４】
第５の発明は、特に、第１〜４のいずれか１つの発明の電源コードを、前記電源コード上に周回状の別部材を有し、前記別部材を、本体内部かつ、外郭ケース後面部と外郭ケース底面部で形成された穴部の近傍に配置されてなるとすることにより、電源コードを引っ張った際に別部材が穴部の外周で止まるため、電源コードと制御回路を接続する接続部に無理な力が加わり、制御回路が故障することを防ぐことができる。
【００１５】
第６の発明は、特に、第１〜５のいずれか１つの発明の外郭ケースを、ノイズフィルタを備えるとすることにより、従来は外郭ケースを組み立てた後、ノイズフィルタを組み立てる構成となっていたが、予めノイズフィルタと外郭ケース後側面部とを組み立てることで、外郭ケース後側面部とノイズフィルタをユニット化でき、生産性を向上することができる。
【００１６】
以下、本発明の実施の形態について、図面を参照しながら説明する。なお、この実施の形態によって、本発明が限定されるものではない。
【００１７】
（実施の形態１）
図１は本実施の形態における誘導加熱調理器後部の斜視図。
【００１８】
図２は本実施の形態における電源コードの取り付け構成を示す斜視図。
【００１９】
図３は本実施の形態における誘導加熱調理器の電源コード周辺の断面図。
【００２０】
図１において、外郭ケース１１は、外郭ケース後側面部１１ａと、外郭ケース底面部１１ｂが組み合わさって構成されている。外郭ケース底面部１１ｂは、間隔をあけて複数個の突出部１２を備えており、外郭ケース１１を組み立てる際には、突出部１２が外郭ケース後側面部１１ａに設けられた傾斜部に当接し、両者が噛み合わさることで、外郭ケース後側面部１１ａと外郭ケース底面部１１ｂとを組み立てる際に位置決めとしている。
【００２１】
図２において、電源コード１３は予め外郭ケース後側面部１１ａの端部に略楕円優弧形状に形成された電源コード挿入部（穴部）１４に挿入され、電源コード１３を保持する保持部材１５が電源コード１３を押さえつけ、保持部材１５が外郭ケース後側面部１１ａにねじで固定されることによって、電源コード１３は外郭ケース後側面部１１ａに取り付けられる。電源コード挿入部１４を優弧形状にすることで、電源コード１３を電源コード挿入部１４に挿入した際に、電源コード挿入部１４に設けられた優弧形状の突起部分が電源コード１３を保持するため、組み立て時における電源コード１３の仮保持が容易となる。さらに、電源コード１３の線に沿って電源コード挿入部１４の優弧形状と突出部１２とで挟む構成なので電源コード１３と電源コード挿入部１４に生じる隙間を最小にすることできる。電源コード挿入部１４と電源コード１３が接触する部分においては、外郭ケースのエッジで電源コード１３を傷つけないために、外郭ケース後側面部１１ａに形成された電源コード挿入部の端部には曲げ加工がされており、板金のエッジが直接電源コードに接触しない構造となっている。
【００２２】
図３において、外郭ケース後側面部１１ａと外郭ケース底面部１１ｂを組み立てた際には、外郭ケース底面部１１ｂに複数設けられた略台形状の突出部１２と外郭ケース後側面部１１ａの端部に形成された電源コード挿入部１４とによって、電源コード１３が機器外部から機器内部に向かって貫通するための穴部が形成される。台形状の突出部１２を複数設けることによって、外郭ケース後側面部１１ａに形成された電源コード挿入部１４の位置を変更すれば、台形状の突出部１２と電源コード挿入部１４で形成される穴部を任意の場所に設けることができるため、機種によって、電源コード１３の位置を変更したい場合においても、外郭ケース底面部１１ｂは共通部品とすることができ、部品の共用化を図ることができる。さらに、突出部１２を略台形状にすることによって、外郭ケース後側面部１１ａと外郭ケース底面部１１ｂとが噛み合わさる構成となるため、組立時、外郭ケース後側面部１１ａと外郭ケース底面部１１ｂとをねじで締結する際の仮固定が容易となる。
【００２３】
本実施の形態では、電源コード１３を略台形状の突出部１２と外郭ケース後側面部１１ａの端部に形成された電源コード挿入部１４とで挟む構成なので電源コード１３と電源コード１３が本体内部に向かって貫通する穴部との間には隙間が生じることが無く、従来、ネズミやゴキブリ等の外部からの侵入を防ぐために電源コードと貫通穴に生じる隙間を埋めるために用いていたキャップ等の部品が必要なく、製造コストを抑えることができる。
【００２４】
また、外郭ケース底面部１１ｂに設けられた突出部１２によって、電源コード１３が貫通する穴部を外郭ケース底面よりも上部に形成することができ、キッチンの種類によって外郭ケース底面とキッチンキャビネット２０が接近している場合においても、電源コード１３の根元がキッチンキャビネット２０に接触せず、電源コード１３の根元にかかる力を軽減することができる。
【００２５】
また、図２のように、電源コード１３には複数本の電線を有しており、それらには丸端子が圧着されている。また、ノイズ除去のために電線がフェライトコアに巻きつけられている場合もあり、従来の構成では、外郭ケース後側面部の穴部はフェライトコアや、丸端子等、電源コードに付随する部品の大きさも考慮して設計しなければならない。しかし、本発明の誘導加熱調理器においては、電源コード１３の端部やコード上に付属部品がある場合にでも、付属部品を外郭ケース１１内に配し電源コード１３を突出部１２と外郭ケース後側面部１１ａの端部に形成された電源コード挿入部１４とで挟む構成なので、組み立て時に付属部品を穴部に通す必要が無く、穴部の径を電源コード自体の直径にまで小さくすることができ、穴部を埋める部材は不要となる。
【００２６】
また、図４、図５に示すように、穴部の近傍に周回状の部材１６を設けることにより、
電源コード１３の根元に外部から力が加わった場合に、周回状の部材１６が電源コード１３の動きを抑制することで、電源コード１３が動かず、電源コード１３を穴部でもって固定することができる。この場合は、図２で、電源コードを固定するために用いた保持部材１５は不要となる。周回状の部材１６は例えば市販のインシュロックのようなものでも良い。図５のように本体外側と内側の両方に周回状の部材がある場合は、図４のように内側のみにある場合に比べ電源コード１３の引っ張り及び押しに対し固定されるので、電源コード１３の保持強度が向上する。
【００２７】
（実施の形態２）
図６において、外郭ケース後側面部１１ａはノイズフィルタ基板１７を有し、ノイズフィルタ基板１７を覆うように金属製のカバー１８がねじ１９で取り付けられている。電源コード１３とノイズフィルタ基板１７は端子等で接続されており、これによって、電源コードとノイズフィルタをユニットで組み立てることができるため、生産性が向上する。また、金属製のカバー１８と外郭ケースがねじ１９で締結されていることで、金属製のカバー１８と外郭ケースが電気的に接続されるため、ノイズフィルタが外郭ケースと同電位で覆われるため、ノイズ低減効果がさらに高まる。また、ノイズフィルタを外郭ケース後側面部１１ａに配置することで、電源コード１３とノイズフィルタとの距離が短くなり、ノイズの影響を受ける可能性のある電源コード１３の長さを短くすることができる。したがって、耐ノイズ性が向上される。
【産業上の利用可能性】
【００２８】
以上のように、本発明にかかる誘導加熱調理器は、電源コードと貫通穴との隙間を埋めるために必要となっていたキャップ等の部品が不要な構成となるので、電源コードを外郭ケースの中から外に配線する機器等の用途に適用できる。
【図面の簡単な説明】
【００２９】
【図１】本発明の実施の形態１における誘導加熱調理器後部の斜視図
【図２】本発明の実施の形態１における電源コードの取り付け構成を示す斜視図
【図３】本発明の実施の形態１における誘導加熱調理器の電源コード周辺の断面図
【図４】本発明の実施の形態１における誘導加熱調理器の電源コード周辺を表す断面図
【図５】本発明の実施の形態１における誘導加熱調理器の電源コード周辺を表す断面図
【図６】本発明の実施の形態２における誘導加熱器のノイズフィルタの取付構成を示す斜視図
【図７】従来の技術の誘導加熱調理器の概略図
【符号の説明】
【００３０】
１１  外郭ケース
１１ａ  外郭ケース後側面部
１１ｂ  外郭ケース底面部
１２  突出部
１３  電源コード
１４  電源コード挿入部（穴部）
１５  保持部材
１６  周回状の別部材
１７  ノイズフィルタ基板
１８  金属カバー
１９  ねじ
２０  キッチンキャビネット
【図１】
2010238491.tif 000003
【図２】
2010238491.tif 000004
【図３】
2010238491.tif 000005
【図４】
2010238491.tif 000006
【図５】
2010238491.tif 000007
【図６】
2010238491.tif 000008
【図７】
2010238491.tif 000009